【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
スケールの発生原因となる溶存成分を含有している水に対して、該溶存成分を構成する陰イオン成分との溶解度積の低い金属イオンを溶出させる金属イオン溶出部を備えることを特徴とするスケール付着防止装置。
【請求項２】
前記水の導電率を検出する導電率検出手段と、
前記導電率検出手段によって検出された導電率に応じて前記金属イオン溶出部から溶出する金属イオン量を制御する制御手段と、
を備える請求項１に記載のスケール付着防止装置。
【請求項３】
前記金属イオン溶出部が少なくとも一対の電極を有し、前記電極間に電圧が印加されることによって前記水に金属イオンが溶出する請求項１又は請求項２に記載のスケール付着防止装置。
【請求項４】
前記金属イオン溶出部が少なくとも一対の電極を有し、
前記導電率検出手段が前記電極間に印加される電圧と前記電極を流れる電流値に基づいて導電率を検出し、
前記制御手段が、前記導電率検出手段によって検出された導電率に応じて前記電極間に印加される電圧を制御し、
前記電極間に電圧が印加されることによって前記水に金属イオンが溶出する請求項２に記載のスケール付着防止装置。
【請求項５】
前記金属イオンの一部又は全部が銀イオンである請求項１〜４のいずれかに記載のスケール付着防止装置。
【請求項６】
前記水に浮遊する固形物を前記水から分離する固液分離装置を備える請求項１〜５のいずれかに記載のスケール付着防止装置。
【請求項７】
請求項１〜６のいずれかに記載のスケール付着防止装置を備えることを特徴とする蒸気発生装置。
【手続補正２】
【補正対象書類名】明細書
【補正対象項目名】０００９
【補正方法】変更
【補正の内容】
【０００９】
上記目的を達成するために本発明に係るスケール付着防止装置においては、スケールの発生原因となる溶存成分を含有している水に対して、該溶存成分を構成する陰イオン成分との溶解度積の低い金属イオンを溶出させる金属イオン溶出部を備える構成としている。
【手続補正３】
【補正対象書類名】明細書
【補正対象項目名】００１０
【補正方法】変更
【補正の内容】
【００１０】
スケールの発生原因となる溶存成分を含有している水（例えば、水道水や工業用水など）には一般に塩化物イオンが含まれている。このため、前記金属イオンの一部又は全部を塩化物イオンとの溶解度積が低い金属イオン（例えば、銀イオンなど）にすると、前記水の濃縮度が上昇して塩化物イオン濃度が高くなったときに、金属イオンと塩化物イオンが反応し、金属塩化物が析出する。前記水の濃縮度がさらに上昇すると、その金属塩化物が種晶となり、その種晶の周囲に他の溶存成分から構成されるスケール(炭酸カルシウムや炭酸マグネシウムなど)が生成される。従って、水中に浮遊する種晶である金属塩化物に付着する形でスケールが生成し、前記水を用いている水系の配管内壁や装置内壁などにスケールが付着することを防止することができる。また、水中に浮遊したスケールをブロー水或いはドレイン水と共に系外へ排出することによって、メンテナンスを不要にすることができる。なお、前記水が一般の水に比べて塩化物イオン以外のイオン濃度が高い水である場合、前記金属イオンの一部又は全部を塩化物イオンとの溶解度積が低い金属イオン以外の金属イオンにしてもよい。例えば、前記水が硫化物イオン濃度の高い水である場合は、前記金属イオンの一部又は全部を硫化物イオンとの溶解度積が低い金属イオンにするとよい。
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】変更
【補正の内容】
【００２３】
また、前記金属イオンの一部又は全部を銀イオンとすると好ましい。
【手続補正７】
【補正対象書類名】明細書
【補正対象項目名】００２９
【補正方法】変更
【補正の内容】
【００２９】
また、上記目的を達成するために本発明に係るスケール付着防止方法においては、スケールの発生原因となる溶存成分を含有している水に対して、該溶存成分を構成する陰イオン成分との溶解度積の低い金属イオンを添加することを特徴としている。本発明に係るスケール付着防止方法には、上述したスケール付着防止装置を用いる方法のみならず、例えばスケールの発生原因となる溶存成分を含有している水を用いている水系に対して、作業者が定期的に該溶存成分を構成する陰イオン成分との溶解度積の低い金属イオンを含有する水を補充する方法等も含まれる。
【手続補正８】
【補正対象書類名】明細書
【補正対象項目名】００４１
【補正方法】変更
【補正の内容】
【００４１】
また、一般の水に比べて塩化物イオン以外のイオン濃度が高い水を循環冷却水として用いて塩化物イオン以外のイオンと金属イオンとを反応させて析出物を生成させたい場合、銀イオン以外の金属イオンが金属イオン溶出ユニット３から溶出するようにしてもよい。例えば、温泉地の地下水などのように一般の水に比べて硫化物イオン濃度が高い水を冷却水として用いる場合、硫化物イオンとの溶解度積が低い金属イオン（アルミニウムイオン、マンガンイオン、亜鉛イオン、鉄イオン、ニッケルイオン、錫イオン、銅イオン、銀イオンなど）が金属イオン溶出ユニット３から溶出するようにしてもよい。
【手続補正９】
【補正対象書類名】明細書
【補正対象項目名】００５０
【補正方法】変更
【補正の内容】
【００５０】
また、一般の水に比べて塩化物イオン以外のイオン濃度が高い水を循環冷却水として用いて塩化物イオン以外のイオンと金属イオンとを反応させて析出物を生成させたい場合、銀イオン以外の金属イオンが金属イオン溶出ユニット３から溶出するようにしてもよい。例えば、温泉地の地下水などのように一般の水に比べて硫化物イオン濃度が高い水を冷却水として用いる場合、硫化物イオンとの溶解度積が低い金属イオン（アルミニウムイオン、マンガンイオン、亜鉛イオン、鉄イオン、ニッケルイオン、錫イオン、銅イオン、銀イオンなど）が金属イオン溶出ユニット３から溶出するようにしてもよい。
【手続補正１０】
【補正対象書類名】明細書
【補正対象項目名】００５６
【補正方法】変更
【補正の内容】
【００５６】
ところで、循環冷却水の濃縮度が高くなり、塩化物イオン濃度が高くなると、銀を含有する電極の表面で難溶性の塩化銀皮膜が形成され、銀イオン溶出量が低下することがある。本実施形態では銀と銅及び／又は亜鉛とから成る電極或いは銀と銅及び／又は亜鉛とを含有する電極を用いているので、銅や亜鉛の塩化物も生成する。この銅や亜鉛の塩化物は易溶性であるため、銀を含有する電極の表面で難溶性の塩化銀皮膜が形成され場合でも、銅や亜鉛を含む部分にスポットが生じ、そこから銀が溶け出すため、銀イオン溶出量の低下を低減することができる。
【手続補正１１】
【補正対象書類名】明細書
【補正対象項目名】００６０
【補正方法】変更
【補正の内容】
【００６０】
また、一般の水に比べて塩化物イオン以外のイオン濃度が高い水を循環冷却水として用いて塩化物イオン以外のイオンと金属イオンとを反応させて析出物を生成させたい場合、銀イオン以外の金属イオンが金属イオン溶出ユニット３から溶出するようにしてもよい。例えば、温泉地の地下水などのように一般の水に比べて硫化物イオン濃度が高い水を冷却水として用いる場合、硫化物イオンとの溶解度積が低い金属イオン（アルミニウムイオン、マンガンイオン、亜鉛イオン、鉄イオン、ニッケルイオン、錫イオン、銅イオン、銀イオンなど）が金属イオン溶出ユニット３から溶出するようにしてもよい。
【手続補正１２】
【補正対象書類名】明細書
【補正対象項目名】００６５
【補正方法】変更
【補正の内容】
【００６５】
また、一般の水に比べて塩化物イオン以外のイオン濃度が高い水を循環冷却水として用いて塩化物イオン以外のイオンと金属イオンとを反応させて析出物を生成させたい場合、銀イオン以外の金属イオンが金属イオン溶出ユニット３から溶出するようにしてもよい。例えば、温泉地の地下水などのように一般の水に比べて硫化物イオン濃度が高い水を冷却水として用いる場合、硫化物イオンとの溶解度積が低い金属イオン（アルミニウムイオン、マンガンイオン、亜鉛イオン、鉄イオン、ニッケルイオン、錫イオン、銅イオン、銀イオンなど）が金属イオン溶出ユニット３から溶出するようにしてもよい。
【手続補正１３】
【補正対象書類名】明細書
【補正対象項目名】００７５
【補正方法】変更
【補正の内容】
【００７５】
また、一般の水に比べて塩化物イオン以外のイオン濃度が高い水を循環冷却水として用いて塩化物イオン以外のイオンと金属イオンとを反応させて析出物を生成させたい場合、銀イオン以外の金属イオンが金属イオン溶出ユニット３から溶出するようにしてもよい。例えば、温泉地の地下水などのように一般の水に比べて硫化物イオン濃度が高い水を冷却水として用いる場合、硫化物イオンとの溶解度積が低い金属イオン（アルミニウムイオン、マンガンイオン、亜鉛イオン、鉄イオン、ニッケルイオン、錫イオン、銅イオン、銀イオンなど）が金属イオン溶出ユニット３から溶出するようにしてもよい。